(57)【要約】【課題】収納された電気部品の防水を図ることができ、しかも電気部品の放熱も行うことができる電気部品収納ケースを提供することである。【解決手段】ケース本体１１は筒状に形成され両端部にそれぞれ一対の端板１２が閉塞状態に締付け固定される。そして、内部に電気部品が収納される。ケース本体１１の両端部の上面内壁には溝部１６が穿設され、この溝部１６は下部に鍔部１７が形成されるように穿設されている。把持部１９は溝部に嵌挿され、溝部１６の鍔部１７と電気部品の端部とを把持して、電気部品がケース本体１１内の上壁部の表面に接触するように電気部品を取り付ける。【選択図】  図１
2008300231.tif 000002
【特許請求の範囲】
【請求項１】
筒状に形成され内部に電気部品を収納するケース本体と；
前記ケース本体の両端部に閉塞状態にそれぞれ締付け固定される一対の端板と；
前記ケース本体の両端部の上面内壁に下部に鍔部が形成されるように穿設された溝部と；
前記溝部に嵌挿され前記溝部の鍔部と前記電気部品の両端部とを把持して前記電気部品が前記ケース本体内の上壁部の表面に接触するように前記電気部品を取り付ける弾性を有した把持部と；
を備えたことを特徴とする電気部品収納ケース。
【請求項２】
前記把持部の前記ケース本体の上面内壁と接触する部分に、先端部が尖ったストッパを設けたことを特徴とする請求項１記載の電気部品収納ケース。
【発明の詳細な説明】
【技術分野】
【０００１】
本発明は、防水構造の電気部品収納ケースに関する。
【背景技術】
【０００２】
例えば、屋外設置用の照明器具においては、点灯装置等の電気部品を雨水等から保護するために、その点灯装置等の電気部品を防水構造を採用した収納ケース内に収納して器具本体に取り付けるようにしている。
【０００３】
防水構造を採用した電気部品収納ケースへの電気部品の収納は、まず、ケース本体内に電気部品を収納し、このケース本体の両端部にパッキングを介して端板を嵌合して取付ネジで端板を螺着する。これにより、端板をケース本体の両端面にそれぞれ締め付け固定する。そして、この端板の締め付け固定により、パッキングが弾性変形してケース本体の端面と端板とに密着し、ケース本体の両端部を密閉する。このようにして、電気部品は防水構造の収納ケースに収納される。
【０００４】
ここで、防水構造の電気部品収納ケースとして、押出成形により筒状に形成され、その筒長手方向からネジ螺着可能な複数の溝部を有し、溝部は、ケース本体の筒側壁に筒長手方向に沿って形成された円筒部と、その円筒部の周壁の一部に円筒部の内外を連通させる連通部とを有し、取付ネジを溝部に螺着するときに出る切りくずなどが溝部内に詰まることなく螺着が確実にできるようにしたものがある（例えば、特許文献１参照）。
【特許文献１】特許第２７２０９３９号公報
【発明の開示】
【発明が解決しようとする課題】
【０００５】
しかし、防水構造の電気部品収納ケースは密閉されていることから、電気部品収納ケースに電気部品を収納した場合、収納した電気部品の発熱をいかに放熱するかが問題となる。特許文献１のものでは、電気部品からの発熱に対する考慮がない。電気部品が照明器具の点灯装置である場合には、点灯装置を構成するインバータからの発熱に対する考慮が必要となり、特に、点灯装置は小型化が図られていることから、防水を考慮しつつ放熱も考慮した構造の電気部品収納ケースが必要となる。
【０００６】
本発明の目的は、収納された電気部品の防水を図ることができ、しかも電気部品の放熱も行うことができる電気部品収納ケースを提供することである。
【課題を解決するための手段】
【０００７】
請求項１の発明に係わる電気部品収納ケースは、筒状に形成され内部に電気部品を収納するケース本体と；前記ケース本体の両端部に閉塞状態にそれぞれ締付け固定される一対の端板と；前記ケース本体の両端部の上面内壁に下部に鍔部が形成されるように穿設された溝部と；前記溝部に嵌挿され前記溝部の鍔部と前記電気部品の両端部とを把持して前記電気部品が前記ケース本体内の上壁部の表面に接触するように前記電気部品を取り付ける弾性を有した把持部と；を備えたことを特徴とする。
【０００８】
本発明および以下の発明において、特に指定しない限り用語の定義および技術的意味は以下による。
【０００９】
ケース本体は、例えば電気部品が収納可能となる大きさの略四角筒に形成される。端板は、ケース本体の両端部を閉塞するものである。閉塞状態に締め付け固定されるとは、ケース本体を密閉し防水構造とすることをいう。例えば、ケース本体の両端部と端板との間にパッキングを介在させて、ケース本体の両端部と端板との間から水が進入するのを防止する構造とする。
【００１０】
溝部は、ケース本体の両端部の上面内壁に下部に鍔部が形成されるように穿設される。「下部に鍔部が形成される」とは、上面内壁の内部に形成される溝が細長く、上面内壁の表面部の溝が太短く形成されることをいい、上面内壁に形成される溝の一部を鍔部で覆うように形成されたことをいう。これにより、上面内壁の表面部に形成された鍔部の背面には、上面内壁の内部に形成される細長い溝が存在することになる。
【００１１】
把持部は、溝部に嵌挿されて溝部の鍔部と電気部品の両端部とを把持して電気部品をケース本体に取り付けるものである。把持部は弾性を有し、例えばクリップ状のバネである。ケース本体の両端部で、把持部により溝部の鍔部と電気部品の両端部とを把持することにより、電気部品がケース本体内の上壁部の表面に接触して保持される。これにより、電気部品からの発熱はケース本体の上面部に伝熱し放熱が促進される。
【００１２】
請求項２の発明に係わる電気部品収納ケースは、請求項１の発明において、前記把持部の前記ケース本体の上面内壁と接触する部分に、先端部が尖ったストッパを設けたことを特徴とする。
【００１３】
「ケース本体の上面内壁と接触する部分」とは、把持部が溝部に嵌挿されて溝部の鍔部と電気部品の両端部とを把持したときに、ケース本体の上面内壁面と接触する部分であり、把持部の背側である。
【００１４】
ストッパとは、把持部が溝部に嵌挿されて溝部の鍔部と電気部品の両端部とを把持したときに、ケース本体の上面内壁面を押圧して係止するものである。「ストッパの先端部が尖った」とはケース本体の上面内壁面のコーティング皮膜を削り取る程度に尖っていることをいう。
【００１５】
電気部品の両端部及びケース本体は導電性の金属で形成され、ケース本体はコーティング皮膜で表面が保護されている。先端部が尖ったストッパでコーティング皮膜を削り取ることで、電気部品のアースをケース本体にとることが可能となる。
【発明の効果】
【００１６】
請求項１の発明によれば、ケース本体の両端部の上面内壁に下部に鍔部が形成されるように溝部を形成し、溝部に把持部を嵌挿して溝部の鍔部と電気部品の両端部とを把持し電気部品をケース本体に取り付けるので、電気部品がケース本体内の上壁部の表面に接触して保持され、電気部品からの発熱がケース本体の上面部に伝熱して放熱が促進される。従って、防水構造のケース本体であっても収納した電気部品の放熱を促進できる。
【００１７】
請求項２の発明によれば、請求項１の発明の効果に加え、先端部が尖ったストッパで、溝部の鍔部と電気部品の両端部とを把持し電気部品をケース本体に取り付けるので、電気部品のケース本体への取り付けを確実なものとすることができ、また、ケース本体のコーティング皮膜を削り取ることで、電気部品のアースをケース本体にとることができる。
【発明を実施するための最良の形態】
【００１８】
図１は本発明の実施の形態に係わる電気部品収納ケースの構成図であり、図１（ａ）は斜視図、図１（ｂ）は電気部品収納ケースのケース本体の正面図である。図１（ａ）に示すように、電気部品収納ケース１０は、ケース本体１１と端板１２とから構成される。ケース本体１１は筒状に形成され、両端部には一対の端板１２が締付け固定される。図１（ａ）ではケース本体１１は略四角筒に形成された場合を示している。ケース本体１１の内部には電気部品が収納され、両端部の一対の端板１２で閉塞状態にそれぞれ取付ネジ１３で締付け固定される。例えば、ケース本体１１の両端部と端板１２との間にパッキングを介在させて、ケース本体１１の両端部と端板１２との間から水が進入するのを防止する構造としている。端板１２には取付部１４が設けられており、ケース本体１１に電気部品を収納して形成された電気部品収納ケース１０を装置に組み込む際に、この取付部１４により装置内に取り付けることになる。
【００１９】
図１（ｂ）に示すように、ケース本体１１は略四角筒に形成されており、ケース本体１１の筒側壁に筒長手方向に沿ってネジ穴部１５が形成されている。このネジ穴部１５に取付ネジ１３が螺挿されて端板１２がケース本体１１に取り付けられる。
【００２０】
ケース本体１１の上面内壁には溝部１６が穿設されている。この溝部１６は下部に鍔部１７が形成されるように穿設されている。すなわち、溝部１６はケース本体１１の上面内壁の内部に形成される溝１６ａが細長く、上面内壁の表面部の溝１６ｂが太短く形成され、上面内壁に形成される溝１６ａの一部を鍔部１７で覆うように形成されている。従って、鍔部１７の背面には、上面内壁の内部に形成される細長い溝１６ａが存在することになる。
【００２１】
図２はケース本体１１に電気部品１８を収納した状態を示す斜視図である。電気部品１８のケース本体１１への取り付けは、電気部品１８がケース本体１１の上壁部に接触するように電気部品１８をケース本体１１に挿入し、溝部１６に把持部１９を嵌挿して、溝部１６の鍔部１７と電気部品１８の端部１８ａとを把持部１９で把持する。これにより、電気部品１８はケース本体１１内の上壁部の表面に接触するように取り付けられる。これにより、電気部品１８からの発熱はケース本体１１の上面部に伝熱し放熱が促進される。
【００２２】
次に、図３は把持部１９の一例を示す斜視図であり、図３（ａ）は正面側の斜視図、図３（ｂ）は背面側の斜視図である。図３（ａ）に示すように、把持部１９は弾性を有した金属部材、例えばバネ部材でクリップ状に形成される。弾性部材を二つ折りにしてクリップ状に形成する。クリップ状に形成された把持部１９の正面部１９ａは、その先端が外側に開口した湾曲部を有し、把持部１９の背面部１９ｂは平板状に形成されている。溝部１６の鍔部１７と電気部品１８の端部とが把持部１９で把持された状態では、溝部１６の鍔部１７及び電気部品１８の端部が把持部１９の湾曲部に位置し、背面部１９ｂがケース本体１１の上面内壁と接触することになる。
【００２３】
また、図３（ｂ）に示すように、把持部１９の背面部１９ｂにはストッパ２０が設けられている。ストッパ２０は先端部が尖った形状をしており、把持部１９がケース本体１１の溝部１６に嵌挿されて、溝部１６の鍔部１７と電気部品１８の端部とを把持したときに、ケース本体１１の上面内壁面を押圧して係止する。その際に、ストッパ２０は、ケース本体１１の上面内壁面のコーティング皮膜を削り取り、電気部品１８のアースをケース本体１１にとること可能にしている。
【００２４】
電気部品１８の端部及びケース本体１１は導電性の金属で形成されている。なお、ケース本体１１は絶縁性のコーティング皮膜で表面が保護されていることが多いので、先端部が尖ったストッパ２０で、絶縁性のコーティング皮膜を削り取る。これにより、電気部品１８のアースをケース本体１１にとることを可能としている。
【００２５】
図４は本発明の実施の形態に係わる電気部品収納ケース１０を照明器具に取り付ける場合の斜視図である。照明器具本体２１は蛍光灯を装着するためのソケット２２を有し、照明器具本体２１に電気部品収納ケース１０が取り付けられる。照明器具に取り付けられる電気部品収納ケース１０には、蛍光灯を点灯するための点灯装置を構成する電気部品が収納されている。電気部品収納ケース１０は、照明器具本体２１と端板１２の取付部１４とをボルト２３及びナット２４で取り付けられる。
【００２６】
本発明の実施の形態によれば、ケース本体１１に溝部１６を設け電気部品１８を弾性を有する把持部１９で把持して、ケース本体１１に電気部品１８を接触するように収納するので、ケース本体１１に収納した電気部品１８からの発熱を収納ケース本体から放熱できる。従って、防水構造の密閉した電気部品収納ケースであっても、電気部品１８からの発熱を適切に放熱できる。
【００２７】
また、把持部１９にストッパ２０を設け、把持部１９で電気部品１８を把持する際にケース本体１１の上面内壁面のコーティング皮膜を削り取るので、電気部品１８のアースを容易にケース本体１１にとることができる。
【図面の簡単な説明】
【００２８】
【図１】本発明の実施の形態に係わる電気部品収納ケースの構成図。
【図２】本発明の実施の形態におけるケース本体に電気部品を収納した状態を示す斜視図。
【図３】本発明の実施の形態における把持部の一例を示す斜視図。
【図４】本発明の実施の形態に係わる電気部品収納ケース１０を照明器具に取り付ける場合の斜視図。
【符号の説明】
【００２９】
１０…電気部品収納ケース、１１…ケース本体、１２…端板、１３…取付ネジ、１４…取付部、１５…ネジ穴部、１６…溝部、１７…鍔部、１８…電気部品、１９…把持部、２０…ストッパ、２１…照明器具本体、２２…ソケット、２３…ボルト、２４…ナット
【図１】
2008300231.tif 000003
【図２】
2008300231.tif 000004
【図３】
2008300231.tif 000005
【図４】
2008300231.tif 000006